(57)【要約】【課題】スピニングリールのリアドラグ発音機構において、つまみ部材の脱着時に音出しピンを抜け落ちにくくする。【解決手段】リアドラグ発音機構６０は、つまみ装着部５２と第２つまみ部材５６との間に配置され、音出し部材６１と、抜け止め部材６２と、装着凹部６３と、音出しピン６４と、付勢手段６５とを備えている。音出し部材６１は、リング状に形成される円盤部６１ａと、円盤部６１ａの一面に回転方向に間隔を隔てて配置された複数の音出し凹部６１ｂと、円盤部６１ａの他面に一体に形成されつまみ装着部５２に回転不能に装着される係合部６１ｃとを有している。抜け止め部材６２は、音出し部材６１の脱落防止のために設けられている。装着凹部６３は、複数の音出し凹部６１ｂの少なくとも一つに対向する位置で第２つまみ部材５６の底部に形成されている。音出しピン６４は、装着凹部６３に装着され、音出し凹部６１ｂに係合している。付勢手段６５は、装着凹部６３に配置され、音出しピン６４を音出し凹部６１ｂ側に付勢している。【選択図】      図２
2004313079.tif 000002
【特許請求の範囲】
【請求項１】
スピニングリールのリール本体後部に設けられた筒状のつまみ装着部と前記つまみ装着部に回転自在に装着される有底筒状のつまみ部材との間に配置され、前記つまみ装着部と前記つまみ部材との相対回転により発音するスピニングリールのリアドラグ発音機構であって、
リング状に形成される円盤部と、前記円盤部の一面に周方向に間隔を隔てて配置された複数の音出し凹部と、前記円盤部の他面に一体に形成され前記つまみ装着部に回転不能に装着される係合部とを有し、前記一面が前記つまみ部材の底部に回転自在に装着される音出し部材と、
前記音出し部材の脱落防止のために前記つまみ部材に装着される抜け止め部材と、
前記複数の音出し凹部の少なくとも一つに対向する位置で前記つまみ部材の底部に形成された装着凹部と、
前記装着凹部に進退自在に装着され前記音出し凹部に係合する音出しピンと、
前記装着凹部に配置され前記音出しピンを前記音出し凹部側に付勢する付勢手段と、
を備えたスピニングリールのリアドラグ発音機構。
【請求項２】
前記音出しピンは、先端が滑らかな凸状の頭部と、前記頭部に連なって形成され前記頭部より大径の受け部と、前記受け部に連なって形成され前記受け部より小径の軸部とを有する、請求項１に記載のスピニングリールのリアドラグ発音機構。
【請求項３】
前記抜け止め部材は、前記つまみ部材の内周面に径方向に向けて付勢可能に装着されている、請求項１又は２に記載のスピニングリールのリアドラグ発音機構。
【請求項４】
前記つまみ部材の内周面には前記音出し部材の外径より大径の環状の係止溝が形成され、前記係止溝に前記抜け止め部材が装着されている、請求項１から３のいずれかに記載のスピニングリールのリアドラグ発音機構。
【請求項５】
前記抜け止め部材はＣ型止め輪であり、前記Ｃ型止め輪の内径は前記音出し部材の外径より小さくなっている、請求項１から４のいずれかに記載のスピニングリールのリアドラグ発音機構。
【請求項６】
前記つまみ装着部の後端面には周方向に間隔を隔てて複数の係合凹部が形成され、前記係合部は前記係合凹部に向けて突出した複数の凸部を有しており、前記凸部が前記係合凹部に嵌合可能に装着されている、請求項１から５のいずれかに記載のスピニングリールのリアドラグ発音機構。
【請求項７】
前記付勢手段は、前記音出しピンの外周側に配置されたコイルばねである、請求項１から６のいずれかに記載のスピニングリールのリアドラグ発音機構。
【請求項８】
前記コイルばねの端部は、前記装着凹部の底部に係止されている、請求項７に記載のスピニングリールのリアドラグ発音機構。
【発明の詳細な説明】
【０００１】
【発明の属する技術分野】
本発明は、リアドラグ発音機構、特に、スピニングリールのリール本体後部に設けられた筒状のつまみ装着部とつまみ装着部に回転自在に装着される有底筒状のつまみ部材との間に配置され、つまみ装着部とつまみ部材との相対回転により発音するスピニングリールのリアドラグ発音機構に関する。
【０００２】
【従来の技術】
従来のスピニングリールでは、スピニングリールのリール本体後部に設けられた筒状のつまみ装着部とつまみ装着部に回転自在に装着される有底筒状のつまみ部材との間に、リアドラグ発音機構が配置されたものがある。この種の発音機構では、音出し片がリール本体に装着されている。音出し片は、略Ｌ字形に形成されており、上向部と横向部とを有している。この音出し片は、上向部がリール本体の上部後端壁に装着されている。このとき、音出し片の横向部は、リール本体後部のつまみ装着部の上面に沿うように配置されている。そして、横向部の先端が、つまみ部材の内周面に設けられた凹凸に係合している。これにより、つまみ部材をつまみ装着部に対して相対回転させたときに、横向部の先端がつまみ部材の凹凸に衝突を繰り返して発音するようになっている。（たとえば、特許文献１参照）
【０００３】
【特許文献１】
実公平２−５７３９（第１図、第２図）
【０００４】
【発明が解決しようとする課題】
従来のスピニングリールのリアドラグ発音機構では、つまみ部材を回転させたときに、つまみ部材の凹凸に係合させた音出し片によって音出しさせると、歯切れの良いクリック音を得にくい。そこで、歯切れの良いクリック音を得るために、フロントドラグ発音機構に用いられてきた音出しピンと付勢手段とを、つまみ部材に装着することが考えられる。このとき、つまみ部材をつまみ装着部に装着するときの姿勢によっては、音出しピンや付勢手段がつまみ部材から抜け落ちてしまうおそれがある。たとえば、つまみ部材の底部を下にした姿勢の場合、つまみ装着部の下方からつまみ部材をつまみ装着部に装着すれば、つまみ部材に配置された音出しピンや付勢手段は抜け落ちにくい。しかしながら、つまみ部材の底部を下にした姿勢をとらない場合は、音出しピンや付勢手段が抜け落ちてしまうことがある。また、メンテナンス等でつまみ部材をつまみ装着部から取り外そうとすると、音出しピンが付勢手段の付勢力によってつまみ装着部から抜け落ちてしまうおそれがある。
【０００５】
本発明の課題は、スピニングリールのリアドラグ発音機構において、歯切れの良いクリック音を得られるようにし、かつつまみ部材の脱着時に音出しピンを抜け落ちにくくすることにある。
【０００６】
【課題を解決するための手段】
発明１に係るスピニングリールのリアドラグ発音機構は、つまみ装着部とつまみ部材との相対回転により発音するスピニングリールのリアドラグ発音機構であって、音出し部材と、抜け止め部材と、装着凹部と、音出しピンと、付勢手段とを備えている。音出し部材は、リング状に形成される円盤部と、円盤部の一面に回転方向に間隔を隔てて配置された複数の音出し凹部と、円盤部の他面に一体に形成されつまみ装着部に回転不能に装着される係合部とを有している。抜け止め部材は、音出し部材の脱落防止のために設けられている。装着凹部は、複数の音出し凹部の少なくとも一つに対向する位置でつまみ部材の底部に形成されている。音出しピンは、装着凹部に進退自在に装着され前記音出し凹部に係合している。付勢手段は、装着凹部に配置され、音出しピンを音出し凹部側に付勢している。
【０００７】
このスピニングリールのリアドラグ発音機構は、スピニングリールのリール本体後部に設けられた筒状のつまみ装着部と、つまみ装着部に回転自在に装着される有底筒状のつまみ部材との間に配置される。音出しピンと付勢手段とは、つまみ部材の底部に形成された装着凹部に装着される。音出し部材は、つまみ部材の底部に回転自在に装着される。このとき、付勢手段は、音出しピンを音出し部材の音出し凹部側に付勢し、音出しピンを音出し凹部に係合させている。この状態で、音出し部材の脱落を防止するために、抜け止め部材がつまみ部材に配置される。そして、音出し部材に形成された係合部が、つまみ装着部に回転不能に装着される。
【０００８】
ここでは、つまみ部材の装着凹部に装着された音出しピンを、付勢手段によって音出し部材の音出し凹部に係合させているので、つまみ部材を回転させたときに歯切れの良いクリック音を得ることができる。また、音出しピンを音出し部材の音出し凹部に係合させた状態で音出し部材をつまみ部材に装着して、抜け止め部材で音出し部材を抜け止めしているので、つまみ部材をどのような姿勢でつまみ装着部に装着しようとしても、音出し部材や付勢手段がつまみ部材から抜け落ちにくい。さらに、つまみ部材をつまみ装着部から取り外そうとしても、抜け止め部材によって抜け止めされた音出し部材が、つまみ部材からの音出しピンの抜け出しを規制するので、音出しピンはつまみ部材から抜け落ちにくい。
【０００９】
発明２に係るスピニングリールのリアドラグ発音機構は、発明１に記載のスピニングリールのリアドラグ発音機構において、音出しピンは、先端が滑らかな凸状の頭部と、頭部に連なって形成され頭部より大径の受け部と、受け部に連なって形成され受け部より小径の軸部とを有している。この場合、軸部の外周側に付勢手段を配置して、付勢手段の一端を底部に他端を受け部に当接させる。これにより、音出しピンが音出し凹部側に付勢される。この音出しピンの頭部は受け部より小径であるため、音出し凹部の間隔を小さくすることができ、発音間隔が短い細かなクリック音を出すことができる。
【００１０】
発明３に係るスピニングリールのリアドラグ発音機構は、発明１又は２に記載のスピニングリールのリアドラグ発音機構において、抜け止め部材が、つまみ部材の内周面に径方向に向けて付勢可能に装着されている。この場合、抜け止め部材が、つまみ部材の内周面に径方向に向けて付勢可能に装着されているので、抜け止め部材をつまみ部材の内周面に容易に装着することができる。この抜け止め部材によって、つまみ部材からの音出し部材の抜け出しを規制することができる。
【００１１】
発明４に係るスピニングリールのリアドラグ発音機構は、発明１から３のいずれかに記載のスピニングリールのリアドラグ発音機構において、つまみ部材の内周面には音出し部材の外径より大径の環状の係止溝が形成され、係止溝に抜け止め部材が装着されている。この場合、つまみ部材の内周面に係止溝が形成され、係止溝に抜け止め部材が装着されているので、抜け止め部材をつまみ部材に容易に位置決めして装着することができる。この抜け止め部材によって、つまみ部材からの音出し部材の抜け出しを確実に規制することができる。
【００１２】
発明５に係るスピニングリールのリアドラグ発音機構は、発明１から４のいずれかに記載のスピニングリールのリアドラグ発音機構において、抜け止め部材がＣ型止め輪となっており、Ｃ型止め輪の内径は音出し部材の外径より小さくなっている。この場合、抜け止め部材がＣ型止め輪となっているので、抜け止め部材をつまみ部材に容易に装着することができる。また、Ｃ型止め輪の内径が音出し部材の外径より小さくなっているので、音出し部材はつまみ部材から抜け出さない。
【００１３】
発明６に係るスピニングリールのリアドラグ発音機構は、発明１から５のいずれかに記載のスピニングリールのリアドラグ発音機構において、つまみ装着部の後端面には周方向に間隔を隔てて複数の係合凹部が形成され、係合部が係合凹部に向けて突出した複数の凸部を有している。また、凸部が係合凹部に嵌合可能に装着されている。この場合、つまみ装着部に形成された係合凹部と音出し部材に形成された係合部の凸部とが嵌合可能に装着されるので、音出し部材をつまみ装着部に容易に位置決めして回転不能に装着することができる。
【００１４】
発明７に係るスピニングリールのリアドラグ発音機構は、発明１から６のいずれかに記載のスピニングリールのリアドラグ発音機構において、付勢手段が音出しピンの外周側に配置されたコイルばねになっている。この場合、音出しピンの外周側にコイルばねを配置して、コイルばねを圧縮した状態でコイルばねの一端を装着凹部の底部に当接させる。このコイルばねによって、音出しピンが、音出し部材の音出し凹部側に付勢されて、音出し凹部に係合される。このような付勢手段を用いると、装着凹部内の音出しピンのがたつきをコイルばねによって低減することができ、音出しピンを音出し凹部に係合させやすい。
【００１５】
発明８に係るスピニングリールのリアドラグ発音機構は、発明７に記載のスピニングリールのリアドラグ発音機構において、コイルばねの端部が装着凹部の底部に係止されている。この場合、コイルばねの端部が装着凹部の底部に係止されているので、コイルばねの付勢力によってコイルばね自体が装着凹部から抜け落ちにくい。
【００１６】
【発明の実施の形態】
〔スピニングリールの構成〕
図１に、本発明の一実施形態によるスピニングリールを示す。
スピニングリールは、図１に示すように、主に、ハンドル１０を回転自在に支持するリール本体１と、ロータ２と、スプール３と、第１ドラグつまみ５０および第２ドラグつまみ５１とを備えている。
【００１７】
リール本体１は、リールボディ１ａと、リールボディ１ａから上方に延びる竿取付脚部１ｂとを有している。リールボディ１ａの内部には収納空間が形成されている。この収納空間にはロータ２をハンドル１０の回転に連動して回転させるロータ駆動機構５と、スプール３を前後に移動させて釣り糸を均一に巻き取るためのオシレーティング機構６とが設けられている。リールボディ１ａの後部には、つまみ装着部５２が筒状に一体に形成されている。つまみ装着部５２には、図２に示すように、後部内周面に第１雌ねじ部５２ａが形成されている。また、つまみ装着部５２の後端面には、周方向に所定の間隔を隔てて複数の係合凹部５２ｂが設けられている。さらに、つまみ装着部５２の外周面には、環状の第１および第３嵌合溝５２ｃ，５２ｄが形成されている。
【００１８】
ロータ２は、図１に示すように、リール本体１の前部に回転自在に支持されている。ロータ２は、ロータ円筒部３０と、第１ロータアーム３１および第２ロータアーム３２とを有している。第１および第２ロータアーム３１，３２は、ロータ円筒部３０の側方に互いに対向して設けられている。ロータ円筒部３０と第１および第２ロータアーム３１，３２とは、たとえばアルミニウム合金製であり、一体に成形されている。第１および第２ロータアーム３１，３２は、ロータ円筒部３０の周面上に周方向に広がりをもたせて接続させている。そして、ロータ円筒部３０から外方に突出して湾曲しながら前方に延びている。第１ロータアーム３１は、先端に第１ベール支持部材４０が揺動自在に装着されている。そして、第１ベール支持部材４０の先端に、釣り糸をスプール３に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０及び第２ベール支持部材４２、ラインローラ４１、ベール４３によって、釣り糸をスプール３に案内するベールアーム４４が構成される。ベールアーム４４は、図１に示す糸案内姿勢とそれから反転した糸開放姿勢との間で揺動自在である。
【００１９】
ロータ駆動機構５は、図１に示すように、ハンドル１０が連結されたハンドル軸１０ａとともに回転するフェースギア１１と、フェースギア１１に噛み合うピニオンギア１２とを有している。ピニオンギア１２は筒状に形成されており、その前部はロータ２の中心部を貫通してスプール３側に延びている。ピニオンギア１２は、その軸方向の中間部と後端部とが、それぞれ軸受１４ａ、１４ｂを介してリール本体１に回転自在に支持されている。そして、ピニオンギア１２の中心部を、スプール軸１４が回転軸芯に沿って前後方向に摺動自在に貫通している。ピニオンギア１２の前部には、所定の長さで平行に面取りされた面取り部１３が形成されている。この面取り部１３は、ロータ２をピニオンギア１２に回転不能に連結するためのものである。
【００２０】
スプール３は、釣り糸を外周面に巻き取るものであり、図１に示すように、ロータ２の前部に前後移動自在に装着されている。スプール３は、スプール本体７と、鍔部８と、鍔部固定部材９とで構成されている。スプール本体７は、糸巻胴部４ａとスカート部４ｂとを有している。糸巻胴部４ａは、筒状に形成されており、外周に釣り糸が巻き付けられる。スカート部４ｂは、糸巻胴部４ａの外径より大径に形成され、糸巻胴部４ａの後部に一体成形されている。鍔部８は、糸巻胴部４ａの前部に装着されており、鍔部固定部材９によってスプール本体７に固定されている。
【００２１】
オシレーティング機構６は、図１に示すように、スプール３に連結されたスプール軸１４を前後方向に移動させて、スプール３を同方向に移動させるための機構である。オシレーティング機構６は、スプール軸１４の下方に平行に配置された螺軸１５と、螺軸１５に沿って前後方向に移動するスライダ１６と、螺軸１５の下方に配置されたガイド軸１７と、螺軸１５の先端に固定された図示しない中間ギアとを有している。スライダ１６はスプール軸１４に回転不能に装着されており、ガイド軸１７はスプール軸１４に平行に配置されている。
【００２２】
リアドラグ機構４５は、スプール３にドラグ力を作用させるための機構である。このリアドラグ機構４５は、図３に示すように、円筒状のブッシュ１８と、複数の摩擦プレート１９ａ，２０ａからなる第１および第２摩擦係合部１９，２０と、第１摩擦係合部１９の摩擦プレート１９ａを押圧するための押圧用コイルばね２１および第１押圧部材２２と、第２摩擦係合部２０の摩擦プレート２０ａを押圧する第２押圧部材２５とから構成されている。
【００２３】
ブッシュ１８は、円筒状に形成されており、スプール軸１４後部の外周に嵌め込まれている。このブッシュ１８に対して、スプール軸１４は回動不能かつ摺動自在になっている。ブッシュ１８後部の外周面上には第１フランジ部２３が、ブッシュ１８前部の外周面上には第２フランジ部２４が、それぞれ設けられている。そして、第１および第２フランジ部２３，２４に、第１および第２摩擦係合部１９，２０の摩擦プレート１９ａ，２０ａがそれぞれ配置される。第１摩擦係合部１９の後部には、押圧用コイルばね２１が配置されている。そして、押圧用コイルばね２１の後部には、第１押圧部材２２が直列に連結される。この第１押圧部材２２の前部２２ａは、円筒状に形成されており、外周面に第１雄ねじ部２２ｂが設けられている。また、第１押圧部材の後部２２ｃは、前部より小径の有底筒状に形成されており、外周面が互いに平行に面取りされている。
【００２４】
第１押圧部材２２は、第１雄ねじ部２２ｂにおいて、つまみ装着部５２の内周面に形成された第１雌ねじ部５２ａに回転自在に装着される。この状態で第１押圧部材２２が回転すると、第１押圧部材２２は、つまみ装着部５２の内部を回転しながら前後方向に移動して、押圧用コイルばね２１を圧縮したり圧縮解除したりする。第２押圧部材２５は、第２摩擦係合部２０の後部に配置されている。このように構成されるリアドラグ機構４５は、第１ドラグつまみ５０と第２ドラグつまみ５１とによってドラグ力が調節される。
【００２５】
第１ドラグつまみ５０は、図３に示すように、第１つまみ部材５５と、第２つまみ部材５６と、リング部材５７とを有している。第１つまみ部材５５は、たとえば合成樹脂製であり、筒状に形成されている。この第１つまみ部材５５は、第１筒状部５５ａと第２筒状部５５ｂと第３筒状部５５ｃとを有しており、これら第１から第３筒状部５５ａ，５５ｂ，５５ｃは一体に形成されている。
【００２６】
第１筒状部５５ａの内周面には、環状の第２嵌合溝５５ｄが設けられている。この第２嵌合溝５５ｄとつまみ装着部５２の第１嵌合溝５２ｃとに、第１嵌合部材５８ａが配置されている。ここで、第１嵌合部材５８ａには、たとえばＯリングが用いられている。第２筒状部５５ｂは、第１筒状部５５ａの後端に一体に形成されており、外径が第１筒状部５５ａの外径より小径になっている。第３筒状部５５ｃは、第２筒状部５５ｂの後端に一体に形成されており、外径が第２筒状部５５ｂの外径より小径になっている。また、第３筒状部５５ｃの外周面には第２雄ねじ部５５ｅが設けられている。なお、第３筒状部５５ｃの後端面にはワッシャ５５ｆを当接させることで、第３筒状部５５ｃの後端部が補強されている。このワッシャ５５ｆの後部には、つまみ装着部５２に形成された第３嵌合溝５２ｄに第２嵌合部材５８ｂが配置されている。ここで、第２嵌合部材５８ｂには、たとえばＣ型止め輪が用いられている。
【００２７】
このような第１つまみ部材５５は、第１嵌合部材５８ａによって、つまみ装着部５２に対して前方への移動が規制されている。そして、第１つまみ部材５５の後部を、ワッシャ５５ｆを介して、第２嵌合部材５８ｂによって位置決めしている。これにより、第１つまみ部材５５は、つまみ装着部５２に軸方向移動不能かつ回転自在に装着される。
【００２８】
第２つまみ部材５６は、たとえば合成樹脂製であり、有底筒状に形成されている。第２つまみ部材５６の底部には、第１および第２嵌合部５６ｅ，５６ｆが設けられている。第１嵌合部５６ｅは、中央部で長円凹状に形成されている。この第１嵌合部５６ｅに、外周面が互いに平行に面取りされた第１押圧部材の後部２２ｃを嵌合させている。このとき、第１押圧部材の後部２２ｃは、第１嵌合部５６ｅ内において回転不能かつ前後方向に摺動自在になっている。第２嵌合部５６ｆは、第２つまみ部材５６の底部外周に円環凹状に形成されている。この第２嵌合部５６ｆに、後述する音出し部材６１が嵌合される。
【００２９】
第２つまみ部材５６の内周側面には、環状の係止溝５６ｂと第２雌ねじ部５６ｄとが設けられている。係止溝５６ｂは、第２つまみ部材５６の底部側で、後述する音出し部材６１の外径より大径に形成されている。第２雌ねじ部５６ｄは、第２つまみ部材５６の開口側に形成されている。この第２雌ねじ部５６ｄを第１つまみ部材５５の第２雄ねじ部５５ｅに螺合させることで、第２つまみ部材５６は第１つまみ部材５５に回転不能に連結される。リング部材５７は、たとえばアルミニュウム製であり、リング状に形成されている。このリング部材５７は、内周面が第２筒状部５５ｂの外周面に接するように配置され、第１つまみ部材５５と第２つまみ部材５６との間で挟持されている。
【００３０】
第２ドラグつまみ５１は、図４に示すように、円筒状に形成される円筒部５１ａと、円筒部５１ａの外周面上で径方向に突出して一体に形成されるレバー部５１ｂとを有している。この第２ドラグつまみ５１は、円筒部５１ａの内周面において、つまみ装着部５２の外周面に回転自在に装着される。円筒部５１ａの前端部には、第２ドラグつまみ５１の動作を第２押圧部材２５に伝達するための係合部材５９が装着されている。この係合部材５９を介して、第２ドラグつまみ５１は第２押圧部材２５に連結される。
【００３１】
ここで、第２ドラグつまみ５１では、第１部品本体５１ｃと、第２部品本体５１ｄと、めっき層５１ｅとでそれぞれ異なる材質が用いられている。たとえば、第１部品本体５１ｃは合成樹脂製になっている。そして、第１部品本体５１ｃの表層側に設けられた第２部品本体５１ｄはＡＢＳ樹脂製になっており、めっき層５１ｅは第２部品本体５１ｄの表層側でめっき処理されている。このように異なった材質で第２ドラグつまみ５１を構成することで、めっき処理をするにあたって、偏肉によるヒケマークを防止することができる。
【００３２】
リアドラグ発音機構６０は、図２および図５に示すように、つまみ装着部５２と第２つまみ部材５６との間に配置され、つまみ装着部５２と第１ドラグつまみ５０との相対回転により発音するようになっている。このリアドラグ発音機構６０は、音出し部材６１と、抜け止め部材６２と、装着凹部６３と、音出しピン６４と、付勢手段６５とを備えている。
【００３３】
音出し部材６１は、係止溝５６ｂより小径に形成されており、リング状に形成される円盤部６１ａと、円盤部６１ａの一面に回転方向に間隔を隔てて配置された複数の音出し凹部６１ｂと、円盤部６１ａの他面に一体に形成された係合部６１ｃとを有している。この音出し部材６１では、円盤部６１ａが第２つまみ部材５６の第２嵌合部５６ｆに嵌合される。このとき、音出し部材６１は、第２つまみ部材５６に対して回転自在になっている。係合部６１ｃは、つまみ装着部５２の係合凹部５２ｂに向けて突出して形成されている。この係合部６１ｃが、つまみ装着部５２の後端面に形成された係合凹部５２ｂに嵌合可能に装着される。抜け止め部材６２は、音出し部材６１の脱落防止のために設けられている。この抜け止め部材６２は、たとえばＣ型止め輪となっており、係止溝５６ｂに配置される。Ｃ型止め輪の内径は、円盤部６１ａの外径より小さく形成されている。装着凹部６３は、複数の音出し凹部６１ｂの少なくとも一つに対向する位置で、第２つまみ部材５６の底部に形成されている。
【００３４】
音出しピン６４は、装着凹部６３に進退自在に装着されており、音出し凹部６１ｂに係合している。音出しピン６４は、頭部６４ａと、頭部６４ａに連結された受け部６４ｂと、受け部６４ｂに連結された軸部６４ｃとを有している。頭部６４ａは先端が滑らかな凸状に形成されている。この頭部６４ａの先端が、音出し凹部６１ｂに衝突を繰り返すことでクリック音を発する。受け部６４ｂは、頭部６４ａより大径かつ装着凹部の内径より小径に形成されている。軸部６４ｃは、受け部６４ｂより小径に形成された軸状の部分であり、外周に付勢手段６５を配置できるようになっている。このように、軸部６４ｃが受け部６４ｂより小径に形成されることで、受け部６４ｂと軸部６４ｃとの段差部分に付勢手段６５の先端が当接可能となっている。
【００３５】
付勢手段６５は、たとえばコイルばねとなっており、音出しピン６４の軸部６４ｃの外周側に配置される。このとき、付勢手段６５の基端部は装着凹部６３の底部に装着されており、付勢手段６５の先端部は受け部６４ｂと軸部６４ｃとの段差部分に当接可能に装着されている。この付勢手段６５は、圧縮状態で装着凹部６３に収納され、音出しピン６４を音出し凹部６１ｂ側に付勢している。
【００３６】
〔スピニングリールの動作〕
以上に示したスピニングリールを使用する場合、糸を繰り出すときには、ベールを糸開放側に倒す。そして、釣り竿をキャスティングすると、スプール３から釣り糸が繰り出される。糸巻き取るときには、ベールを糸巻取側に戻す。この状態でハンドルを糸巻取方向に回転させると、この回転力がハンドル軸及びマスターギアを介してピニオンギアに伝達される。そして、ピニオンギアに伝達された回転力が、ピニオンギアの前部においてロータを回転させる。一方で、ピニオンギアに伝達された回転力は、ピニオンギアに噛み合う中間ギア（図示しない）を介して螺軸も同時に回転させる。このとき、螺軸の螺旋溝に噛み合うスライダがガイド軸に案内され前後方向に移動する。スライダが移動すると、スライダとともにスプール軸１４とスプール３とが前後方向に往復移動する。こうしたロータの回転とスプールの前後移動とによって、ベールおよびラインローラから案内された釣り糸が、スプール３の外周に前後方向に均一に巻き取られる。このように動作するスピニングリールを使用するとき、魚がかかって魚が所定のドラグ力を越える力で釣り糸を引き込むと、スプール軸１４とスプール３とが相対回転してリアドラグ機構４５が作動する。ここで、リアドラグ機構４５では、第１ドラグつまみ５０と第２ドラグつまみ５１とを操作することで、スプール３に対するドラグ力が所定の値に設定される。
【００３７】
第１ドラグつまみ５０を締め付けると、第２つまみ部材５６の第１嵌合部５６ｅに嵌合させた第１押圧部材２２が回転しながら前方へと移動し、第１押圧部材２２に連結された押圧用コイルばね２１が押し込まれる。すると、第１摩擦係合部１９の複数の摩擦プレート１９ａ面が互いに接近し、ブッシュ１８の第１フランジ部２３が複数の摩擦プレート１９ａによって挟持される。このようにブッシュ１８の第１フランジ部２３が摩擦プレート１９ａによって挟持されることによって、ブッシュ１８に対して回動不能なスプール軸１４も回転しにくくなり、スプール３に作用するドラグ力は強くなる。一方で、第１ドラグつまみ５０を弛めると、第１押圧部材２２は回転しながら後方へと移動し、押圧用コイルばね２１の押し込まれた状態が徐々に解除される。すると、摩擦プレート１９ａに挟持された第１フランジ部２３の押圧が解除されて、ブッシュ１８に対して回動不能なスプール軸１４は回転しやすくなり、スプール３に作用するドラグ力は弱くなる。
【００３８】
第２ドラグつまみ５１のレバー部５１ｂをつまんで、第２ドラグつまみ５１を締め付けると、係合部材５９を介して第２押圧部材２５が第２摩擦係合部２０を押圧する。すると、第２摩擦係合部２０の複数の摩擦プレート２０ａ面が互いに接近し、ブッシュ１８の第２フランジ部２４が摩擦プレート２０ａによって挟持される。このようにブッシュ１８の第２フランジ部２４が摩擦プレート２０ａによって挟持されることによって、ブッシュ１８に対して回動不能なスプール軸１４も回転しにくくなり、スプール３に対するドラグ力は強くなる。一方で、第２ドラグつまみ５１を弛めると、第２押圧部材２５によって、第２摩擦係合部２０の押圧状態が徐々に解除される。すると、ブッシュ１８に対して回動不能なスプール軸１４は回転しやすくなり、スプール３のドラグ力は弱くなる。
【００３９】
〔リアドラグ発音機構の組み立ておよび動作〕
リアドラグ発音機構６０を組み立てるためには、まず、第２つまみ部材５６の装着凹部６３に、音出しピン６４と付勢手段６５とを配置する。そして、音出しピン６４の頭部６４ａを音出し部材６１の音出し凹部６１ｂに当接させた状態で、音出し部材６１を第２つまみ部材５６に装着する。次に、抜け止め部材６２を第２つまみ部材５６に形成された係止溝５６ｂに装着して、音出し部材６１を抜け止めする。ここで、第１つまみ部材５５にリング部材５７を配置した後、第１つまみ部材５５の第２嵌合溝５５ｄを、つまみ装着部５２に配置された第１嵌合部材５８ａに当接させる。そして、第１つまみ部材５５の後端面にワッシャ５５ｆを配置する。このワッシャ５５ｆの後部で第２嵌合部材５８ｂをつまみ装着部５２の第３嵌合溝５２ｄに装着して、第１つまみ部材５５をつまみ装着部５２に位置決めする。この状態で、第１つまみ部材５５の第２雄ねじ部５５ｅに、第２つまみ部材５６の第２雌ねじ部５６ｄを螺合させて、第１つまみ部材５５と第２つまみ部材５６とを回転不能に連結する。このとき、音出し部材６１の係合部６１ｃをつまみ装着部５２の係合凹部５２ｂに嵌合させて、音出し部材６１とつまみ装着部５２とを回転不能に連結する。このようにして、つまみ装着部５２と第２つまみ部材５６との間にリアドラグ発音機構６０を配置することができ、第１ドラグつまみ５０がつまみ装着部５２に回転自在に装着される。
【００４０】
この第１ドラグつまみ５０を回転させると、第１ドラグつまみ５０とつまみ装着部５２とは相対回転する。つまり、第１つまみ部材５５に回転不能に連結した第２つまみ部材５６と、つまみ装着部５２に回転不能に装着した音出し部材６１とが相対回転する。すると、第２つまみ部材５６の装着凹部６３に配置した音出しピン６４が、付勢手段６５によって付勢された状態で、音出し部材６１に形成された複数の音出し凹部６１ｂに衝突を繰り返してクリック音を発する。
【００４１】
従来のリアドラグ発音機構６０では、音出し片を用いて音出ししていたので、第１ドラグつまみ５０を回転させたときに歯切れの良いクリック音を得にくかった。そこで、音出しピン６４と付勢手段６５とを第２つまみ部材５６に装着して、歯切れの良いクリック音を得ようとすると、第２つまみ部材５６をつまみ装着部５２に装着するときの姿勢によっては、音出しピン６４や付勢手段６５が第２つまみ部材５６から抜け落ちてしまうおそれがあった。
【００４２】
本実施形態では、第２つまみ部材５６の装着凹部６３に装着された音出しピン６４を、付勢手段６５によって音出し部材６１の音出し凹部６１ｂに係合させているので、第１ドラグつまみ５０を回転させたときに歯切れの良いクリック音を得ることができる。また、音出しピン６４を音出し部材６１の音出し凹部６１ｂに係合させた状態で音出し部材６１を第２つまみ部材５６に装着して、抜け止め部材６２で音出し部材６１を抜け止めしているので、第２つまみ部材５６をどのような姿勢でつまみ装着部５２に装着しようとしても、音出し部材６１や付勢手段６５が第２つまみ部材５６から抜け落ちにくい。さらに、第２つまみ部材５６をつまみ装着部５２から取り外そうとしても、抜け止め部材６２によって抜け止めされた音出し部材６１が、第２つまみ部材５６からの音出しピン６４の抜け出しを規制するので、音出しピン６４は第２つまみ部材５６から抜け落ちにくい。
【００４３】
なお、第１ドラグつまみ５０において、第２つまみ部材５６を第１つまみ部材５５に連結させるようにしたことで、リアドラグ発音機構６０を第２つまみ部材５６に配置した後、第２つまみ部材５６をリアドラグ発音機構６０とともに、第１つまみ部材５５に装着したり、第１つまみ部材５５から取り外したりすることが容易になる。また、第１つまみ部材５５と第２つまみ部材５６との間にリング部材５７を設置したことで、第１ドラグつまみ５０の意匠性を向上することができる。
【００４４】
〔他の実施形態〕
（ａ）前記実施形態では、第２つまみ部材５６の係止溝５６ｂに抜け止め部材６２を設置した場合の例を示したが、抜け止め部材６２の設置方法は、前記実施形態に限定されず、音出し部材６１を抜け止めすることができれば、どのようなものでも良い。たとえば、第２つまみ部材５６に係止溝５６ｂを形成しないで、抜け止め部材６２をつまみ部材の内周面で径方向に向けて付勢可能に装着して、音出し部材６１を抜け止めしても良い。
【００４５】
（ｂ）前記実施形態では、第１つまみ部材５５の第１筒状部５５ａ内周面に第２嵌合溝５５ｄを設置した場合の例を示したが、第２嵌合溝５５ｄの設置位置は、前記実施形態に限定されず、第１つまみ部材５５の内周面であれば、どの位置でもよい。
【００４６】
【発明の効果】
本発明によれば、スピニングリールのリアドラグ発音機構において、つまみ部材の装着凹部に装着された音出しピンを、付勢手段によって音出し部材の音出し凹部に係合させているので、つまみ部材を回転させたときに歯切れの良いクリック音を得ることができる。また、音出しピンを音出し部材の音出し凹部に係合させた状態で音出し部材をつまみ部材に装着して、抜け止め部材で音出し部材を抜け止めしているので、つまみ部材をどのような姿勢でつまみ装着部に装着しようとしても、音出し部材や付勢手段がつまみ部材から抜け落ちにくい。さらに、つまみ部材をつまみ装着部から取り外そうとしても、抜け止め部材によって抜け止めされた音出し部材が、つまみ部材からの音出しピンの抜け出しを規制するので、音出しピンはつまみ部材から抜け落ちにくい。
【図面の簡単な説明】
【図１】本発明の一実施形態によるスピニングリールの斜視図。
【図２】前記スピニングリールのつまみ装着部の模式図および第１ドラグつまみの断面図。
【図３】前記スピニングリール後部の拡大断面図。
【図４】前記スピニングリールの第２ドラグつまみの拡大断面図。
【図５】前記スピニングリールに設置されたリアドラグ発音機構の拡大断面図。
【符号の説明】
５０  第１ドラグつまみ
５１  第２ドラグつまみ
５１ａ  円筒部
５１ｂ  レバー部
５２  つまみ装着部
５２ａ  第１雌ねじ部
５２ｂ  係合凹部
５２ｃ  第１嵌合溝
５２ｄ  第３嵌合溝
５２ｄ  係合面
５５  第１つまみ部材
５５ａ  第１筒状部
５５ｂ  第２筒状部
５５ｃ  第３筒状部
５５ｄ  第２嵌合溝
５５ｆ  ワッシャ
５５ｅ  第２雄ねじ部
５６  第２つまみ部材
５６ｂ  係止溝
５６ｃ  第１凹部
５６ｄ  第２雌ねじ部
５６ｅ  第１嵌合部
５６ｆ  第２嵌合部
５７  リング部材
５８ａ  第１嵌合部材
５８ｂ  第２嵌合部材
６０  リアドラグ発音機構
６１  音出し部材
６１ａ  円盤部
６１ｂ  音出し凹部
６１ｃ  係合部
６２  抜け止め部材
６３  装着凹部
６４  音出しピン
６４ａ  頭部
６４ｂ  受け部
６４ｃ  軸部
６５  付勢手段
【図１】
2004313079.tif 000003
【図２】
2004313079.tif 000004
【図３】
2004313079.tif 000005
【図４】
2004313079.tif 000006
【図５】
2004313079.tif 000007